(57)【特許請求の範囲】
【請求項１】
水素炎イオン化検出器内のノズルとコレクタの位置関係を調節するための位置調整機構であって、水素炎イオン化検出器のハウジングが、ノズルを保持する本体ハウジングとコレクタを保持するコレクタハウジングに分割され、前記本体ハウジングと前記コレクタハウジングの位置を調節する機構を備えた、位置調整機構を備えることを特徴とする水素炎イオン化検出器。
【発明の詳細な説明】
【０００１】
【発明の属する技術分野】
本発明はガスクロマトグラフ装置等の検出器として用いられる水素炎イオン化検出器（以下、ＦＩＤ（Flame Ionization Detector）と略する）に関する。
【０００２】
【従来の技術】
ガスクロマトグラフ装置の検出器として一般的に使用されているＦＩＤは図１に示すようにカラム１の出口に置いたノズル４から排出されるガスに水素ガス（Ｈ２ガス）をある比率で混合させ、空気雰囲気中で燃焼させるようになっている。図２はこのようなＦＩＤの本体部分の従来例の構成を示す断面図である。
図において１０は検出器ハウジング、２は検出器ハウジング１０に接続される配管具である。カラム１の出口先端部は配管具２にネジ止めされたアダプタ３に取り付けられ、この配管具2内においてアダプタ３の他端側先端部がノズル４の一端と対向するように配置されている。更に、このノズル４の他端側の先端にはノズルキャップ５が装着されており、カラム１から送り込まれたキャリアガスや成分分離された試料がアダプタ３、ノズル４に形成された中空の流路を介して流れ、このノズルキャップ５から噴出される。また、前記配管具２には側面に水素ガスとメイクアップガス（make up gas）の混合ガスを導入する管路２ａと空気を導入する管路２ｂとが接続され、検出器ハウジング１０内の前記ノズルキャップ５の上方の位置で水素炎を形成するように構成されている。ノズルキャップ５には高圧ケーブル７により図示しない直流電源から一定電圧が印加されている。６は水素ガスを点火するためのイグナイタである。前記ノズルキャップ５の上方にはコレクタ８が配置され、その内部は中空のガス通路が形成されている。このコレクタ８はセラミック絶縁体１２により保持するようにして装着される。１１はコレクタ８により捕獲されたイオンのイオン電流を取り出して増幅器１２（図１参照）に導くためのシグナルケーブルである。増幅器１２で増幅された信号はデータ処理装置１３によりクロマトデータとしての種々の処理がなされる。
【０００３】
【発明が解決しようとする課題】
従来のＦＩＤでは、検出器本体部分の加工および組立時に生じる精度のばらつきにより微妙な寸法差が存在するので、このような本体部分の部品を組み立てて検出器を構成した場合にそのノズルとコレクタとの位置関係は各検出器ごとで不均一となり、機差を生じていた。一般に、コレクタとノズルとの距離が近づく方がサンプルの面積値（検出信号のピーク面積）が大きくなるのであるが、あまりにも距離を近づけすぎるとこんどはコレクタとノズルとが接触してしまい、不都合が生じ易くなる。そのため、従来は決して接触の心配がないだけの十分な距離をあけて使用していたことから、面積値が必要以上に小さくなる状態で使用していた。
そこで、本発明はＦＩＤ間での機差をできるだけ少なくし、また、サンプル面積値もできるだけ大きくなるように調整することを可能にした検出器を提供することを目的とする。
【０００４】
【課題を解決するための手段】
上記問題を解決するためになされた本発明のＦＩＤは、ＦＩＤ本体内のノズルとコレクタの位置関係を調節するための位置調整機構であって、検出器本体のハウジングが、ノズルを保持する本体ハウジングとコレクタを保持するコレクタハウジングに分割され、前記本体ハウジングと前記コレクタハウジングの位置を調節する位置調整機構を備えたことを特徴とする。
【０００５】
本発明では、検出器本体内で対向配置されるノズルとコレクタとの相対位置を変化させうるように、位置調整機構が設けられている。したがって、この位置調整機構を用いて両者の位置関係を調整することにより、ノズルとコレクタ間の間隔を最適調整することができ、あるいは複数の検出器においてノズル、コレクタ間の距離を一定となるように調整して機差をなくすことができる。
【０００６】
【発明の実施の形態】
以下、本発明のＦＩＤを図を用いて説明する。図３は本発明の一実施例であるＦＩＤの断面構成図を示す。また、図４はその要部の拡大図である。図において従来例と同じものは同符号を付することにより詳細説明を省略する。
本発明のＦＩＤでは、本体のハウジング部分が、配管具２に接続される本体ハウジング２０とその上にネジ止めされるコレクタハウジング２１とに分割されて構成されている。即ち、図４の拡大図に見られるように本体ハウジング２０の上側内面とコレクタハウジング２１の下側外面にネジ部２１ａが形成されるとともに密封用のオーリング２２が取り付けられている。さらにコレクタハウジング２１の外周面には位置を示すためのマーカ２３が刻まれている。即ち、このマーカ２３を見ることによりネジ部２１ａの回転量が図れるようにしてある。
【０００７】
このＦＩＤの調整は以下のようにする。まずコレクタハウジング２１を回転させてネジを締めていき、コレクタ８がノズルキャップ５に接触するようにする。続いてコレクタハウジング２１を反対方向に少し回転させてコレクタ８とノズルキャップ５とが所望の距離になるように調整する。ネジ２１ａのピッチは一定であるので、コレクタハウジング２１の回転量を図ることによりコレクタ８とノズルキャップ５との間の距離を定量的に決定することができる。この回転量はマーカ２３を見ることにより容易に図ることができる。さらに、ネジ２１ａによりコレクタ、ノズルキャップ間距離を連続的に変化させることができるので検出信号をモニタしつつ距離を調整することにより面積値を最大にすることができる。また、コレクタ、ノズルキャップ間距離を定量的に調整できることから複数のＦＩＤ間で距離を均一にすることができ、機差を最小にすることができる。
【０００８】
以下、実施態様をまとめておく。
（１）水素炎検出器本体内にてノズル先端に取り付けたノズルキャップとコレクタとが対向するように配置された水素炎検出器において、前記水素炎検出器本体がノズルを保持する本体ハウジングとコレクタを保持するコレクタハウジングとに分割され、本体ハウジングとコレクタハウジングとが螺着されたことを特徴とする水素炎検出器。
（２）水素炎検出器本体内にてノズル先端に取り付けたノズルキャップとコレクタとが対向するように配置された水素炎検出器において、前記水素炎検出器本体がノズルを保持する本体ハウジングとコレクタを保持するコレクタハウジングとに分割され、本体ハウジングとコレクタハウジングとが螺着され、
さらに少なくとも本体ハウジング又はコレクタハウジングのいずれかに螺着時の回転量を図るためのマーカを設けたことを特徴とする水素炎検出器。
【０００９】
【発明の効果】
以上、説明したように本発明のＦＩＤでは、ノズルとコレクタとの距離を均一にすることができるため、機差を最小にすることができる。
また、ノズルとコレクタとの距離をできるだけ近付けることができるのでサンプルの面積値をできるだけ大きくできる。
【図面の簡単な説明】
【図１】ＦＩＤによる測定システムの構成図。
【図２】従来のＦＩＤの本体部分の断面構成図。
【図３】本発明の一実施例であるＦＩＤの本体部分の断面構成図。
【図４】本発明の一実施例であるＦＩＤの本体部分の要部構成図。
【符号の説明】
４：ノズル
５：ノズルキャップ
８：コレクタ
２０：本体ハウジング
２１：コレクタハウジング
２１ａ：ネジ部
２２：オーリング
２３：マーカ
【図１】
0004240621.tif 000002
【図２】
0004240621.tif 000003
【図３】
0004240621.tif 000004
【図４】
0004240621.tif 000005